(57)【要約】【課題】従来のフェンスとは異なる外観、意匠性を発現でき、フェンスの構造設計の自由度を向上できるフェンスを提供すること。【解決手段】フェンス５０は、面材１７５と、横方向に延びると共に面材１７５の上下において面材１７５を保持する一対の枠材１７１，１７２と、枠材１７１，１７２の横方向の端面に取り付けられ、枠材１７１，１７２を支持する第１支柱１５，１６と、枠材１７１，１７２の側面に取り付けられ、枠材１７１，１７２を支持する第２支柱１８と、を備える。【選択図】図１
2018131810.tif 000002
【特許請求の範囲】
【請求項１】
面材と、
横方向に延びると共に前記面材の上下において前記面材を保持する一対の枠材と、
前記枠材の横方向の端面に取り付けられ、前記枠材を支持する第１支柱と、
前記枠材の側面に取り付けられ、前記枠材を支持する第２支柱と、を備えるフェンス。
【請求項２】
前記フェンスは、コーナー部を有し、
前記第１支柱は、前記コーナー部に配置される請求項１に記載のフェンス。
【請求項３】
前記第１支柱は、前記フェンスの端部に配置される請求項１又は２に記載のフェンス。
【請求項４】
前記枠材は、側面に、横方向に延びる横溝を有し、
前記フェンスは、前記横溝に沿って移動可能に前記横溝に配置され前記第２支柱が取り付けられる固定部材と、前記横溝を覆う横溝カバー部材と、を備える請求項１から３のいずれかに記載のフェンス。
【請求項５】
請求項１から４のいずれかに記載のフェンスの施工方法であって、
管状部材を地面に設置する管状部材設置工程と、
前記管状部材設置工程の後に、前記管状部材に前記第１支柱の下端部を差し込みながら、前記面材を保持した前記枠材を前記第１支柱の側面から突出した突出部に取り付ける支柱配置工程と、を有するフェンスの施工方法。
【請求項６】
前記第１支柱の前記突出部を前記枠材にネジ部材で固定する第１固定工程と、
前記第１固定工程において使用されたネジ部材を覆うように第１カバー部材を前記枠材に取り付ける第１カバー部材取付工程と、を有する請求項５に記載のフェンスの施工方法。
【請求項７】
前記第１支柱の下端部を前記管状部材にネジ部材で固定する第２固定工程と、
前記第２固定工程において使用されたネジ部材を覆うように第２カバー部材を前記第１支柱に取り付ける第２カバー部材取付工程と、を有する請求項５又は６に記載のフェンスの施工方法。
【発明の詳細な説明】
【技術分野】
【０００１】
本発明は、面材と、上下において面材を保持する一対の枠材と、一対の枠材を支持する支柱と、を備えるフェンス及びフェンスの施工方法に関する。
【背景技術】
【０００２】
従来、面材と、上下において面材を保持する一対の枠材と、一対の枠材を支持する支柱と、を備えるフェンスが知られている（例えば、特許文献１参照）。
また、面材と、上下において面材を保持する一対の枠材と、一対の枠材に沿って移動させて設置可能な支柱と、を備えるフェンスが知られている（例えば、特許文献２参照）。
【先行技術文献】
【特許文献】
【０００３】
【特許文献１】特開２００１−２９５５１０号公報
【特許文献２】特開２００４−６８４８１号公報
【発明の概要】
【発明が解決しようとする課題】
【０００４】
特許文献１に記載のフェンスにおいては、支柱が、枠材や面材の端面を隠しており、外観においてスッキリしており、意匠性が向上されている。しかし、支柱の設置位置を移動できないため、支柱の設置位置の配置の自由度が制限される場合がある。
【０００５】
特許文献２に記載のフェンスにおいては、支柱を、枠材や面材の側方に設けて、枠材に沿って移動させて設置可能な構成としており、支柱の設置位置の配置の自由度が確保される。しかし、支柱が、枠材の側方に配置されているため、支柱と枠材とがずれて並んで配置され、枠材の端面が見えてしまい、外観において雑然と見えてしまうことがある。よって、意匠性の向上が望まれる。
【０００６】
以上のようなフェンスが存在することを鑑み、従来のフェンスとは異なる外観、意匠性を発現でき、フェンスの構造設計の自由度を向上できるフェンスが望まれる。
【０００７】
本発明は、従来のフェンスとは異なる外観、意匠性を発現でき、フェンスの構造設計の自由度を向上できるフェンスを提供することを目的とする。
【課題を解決するための手段】
【０００８】
本発明は、面材（例えば、後述のパネル材１７５）と、横方向に延びると共に前記面材の上下において前記面材を保持する一対の枠材（例えば、後述の上桟１７１、下桟１７２）と、前記枠材の横方向の端面（例えば、後述の端面１７０ａ，１７０ｂ，１７０ｃ）に取り付けられ、前記枠材を支持する第１支柱（例えば、後述の端部支柱１５、角部支柱１６）と、前記枠材の側面に取り付けられ、前記枠材を支持する第２支柱（例えば、後述の側部支柱１８）と、を備えるフェンス（例えば、後述のフェンス５０）に関する。
【０００９】
また、前記フェンスは、コーナー部（例えば、後述のコーナー部５０１）を有し、前記第１支柱は、前記コーナー部に配置されることが好ましい。
【００１０】
また、前記第１支柱は、前記フェンスの端部（例えば、後述の端部５０２）に配置されることが好ましい。
【００１１】
また、前記枠材は、側面に、横方向に延びる横溝（例えば、後述の裏板部材配置横溝１７１ｂ、裏板部材配置横溝１７２ｂ）を有し、前記フェンスは、前記横溝に沿って移動可能に前記横溝に配置され前記第２支柱が取り付けられる固定部材（例えば、後述の裏板部材１８１）と、前記横溝を覆う横溝カバー部材（例えば、後述の側面カバー部材１７９ａ）と、を備えることが好ましい。
【００１２】
また、前記フェンスの施工方法であって、管状部材（例えば、後述のサヤ管１６８）を地面に設置する管状部材設置工程と、前記管状部材設置工程の後に、前記管状部材に前記第１支柱の下端部を差し込みながら、前記面材を保持した前記枠材を前記第１支柱の側面から突出した突出部（後述する取付スリーブ部材１６４，１６５）に取り付ける支柱配置工程と、を有するフェンスの施工方法に関する。
【００１３】
また、前記第１支柱の前記突出部を前記枠材にネジ部材（例えば、後述のネジ部材１７８ａ，１７８ｂ）で固定する第１固定工程と、前記第１固定工程において使用されたネジ部材を覆うように第１カバー部材（例えば、後述の側面カバー部材１７９ａ，１７９ｂ）を前記枠材に取り付ける第１カバー部材取付工程と、を有することが好ましい。
【００１４】
また、前記第１支柱の下端部を前記管状部材にネジ部材（例えば、後述のネジ部材１６９ａ，１６９ｂ）で固定する第２固定工程と、前記第２固定工程において使用されたネジ部材を覆うように第２カバー部材（例えば、後述の下部カバー部材１６７ａ，１６７ｂ）を前記第１支柱に取り付ける第２カバー部材取付工程と、を有することが好ましい。
【発明の効果】
【００１５】
本発明によれば、従来のフェンスとは異なる外観、意匠性を発現でき、フェンスの構造設計の自由度を向上できるフェンスを提供することができる。
【図面の簡単な説明】
【００１６】
【図１】本発明の一実施形態に係る駐輪場を斜め下方側から見た斜視図である。
【図２】本発明の一実施形態のフェンスの端部支柱、角部支柱、パネル構成体及び側部支柱の配置の構成を示す平面図である。
【図３】本発明のフェンスにおいて、主に角部支柱及びパネル構成体の取付構造を示す斜視図である。
【図４】端部支柱の設置状態における周辺の外観を示す斜視図である。
【図５】角部支柱の設置状態における周辺の外観を示す斜視図である。
【図６】側部支柱がパネル構成体に取り付けられた状態を示す断面図である。
【図７】側部支柱に取付金具を固定する状態を示す斜視図である。
【図８】側部支柱が第２パネル構成体に取り付けられる状態を示す斜視図である。
【図９】角部支柱の下端部をサヤ管に取り付ける状態を示す斜視図である。
【図１０】角部支柱の上端部をパネル構成体の上桟に取り付ける状態を示す斜視図である。
【図１１】右側端部支柱及び右側第１パネル構成体を設置する方法を説明する図である。
【図１２】右側角部支柱を設置する方法を説明する図である。
【図１３】第２パネル構成体及び側部支柱を設置する方法を説明する図である。
【発明を実施するための形態】
【００１７】
以下、本発明の屋根構造体２０のフェンス５０の一実施形態について、図面を参照しながら説明する。なお、本実施形態の説明においては、フェンス５０における端部支柱１５と角部支柱１６との間に配置される第１パネル構成体１７ａが延びる横方向を第１方向Ｄ１といい、角部支柱１６同士の間に配置される第２パネル構成体１７ｂが延びる横方向を第２方向Ｄ２という。第１方向Ｄ１及び第２方向Ｄ２は直交する。
【００１８】
図１は、本発明の一実施形態に係る駐輪場を斜め下方側から見た斜視図である。図２は、本発明の一実施形態のフェンス５０の端部支柱１５、角部支柱１６、パネル構成体１７及び側部支柱１８の配置の構成を示す平面図である。図３は、本発明のフェンス５０において、主に角部支柱１６及びパネル構成体１７の取付構造を示す斜視図である。図４は、端部支柱の設置状態における周辺の外観を示す斜視図である。図５は、角部支柱の設置状態における周辺の外観を示す斜視図である。図６は、側部支柱１８がパネル構成体１７に取り付けられた状態を示す断面図である。図７は、側部支柱１８に取付金具１８２を固定する状態を示す斜視図である。図８は、側部支柱が第２パネル構成体１７ｂに取り付けられる状態を示す斜視図である。図９は、角部支柱１６の下端部をサヤ管１６８に取り付ける状態を示す斜視図である。１０は、角部支柱１６の上端部をパネル構成体１７の上桟１７１に取り付ける状態を示す斜視図である。
【００１９】
まず、本実施形態の駐輪場１０の全体構造について説明する。
図１に示すように、駐輪場１０は、屋根構造体２０と、フェンス５０と、を備える。
【００２０】
図１に示すように、駐輪場１０の屋根構造体２０は、地面１１に立設される３つの支柱２（柱材）と、３つの支柱２の上端部から支柱に交差する方向に延びる梁４と、梁４の下部に配置される屋根体６と、支柱２に固定され梁４に交差する方向に延びる長尺の後桁７１と、梁４の先端部に接続され梁４に交差する方向に延びる長尺の前桁７２と、前桁７２の下部に取り付けられると共に屋根体６の上面に接続される吊り下げ部材７３と、を備える。
【００２１】
図１に示すように、本実施形態のフェンス５０は、例えば、屋外に設置される間仕切りなどに用いられる柵やフェンスに関するものである。なお、本実施形態においては、駐輪場１０の駐輪スペースを間仕切るように配置されているが、駐輪場１０の駐輪スペースを間仕切るフェンスには限定されない。
【００２２】
フェンス５０は、図１及び図２に示すように、上方側から見た場合に、屋根構造体２０の３つの支柱２が配置される側と反対側が開放する略Ｕ字状に配置される。フェンス５０は、図２に示すように、コーナー部５０１，５０１と、端部５０２，５０２とを備える。フェンス５０は、端部５０２に配置される端部支柱１５（第１支柱）と、コーナー部５０１に配置される角部支柱１６（第１支柱）と、一対の第１パネル構成体１７ａ（パネル構成体１７）と、第２パネル構成体１７ｂ（パネル構成体１７）と、第２パネル構成体１７ｂを側方で支持する側部支柱１８（第２支柱）と、を有する。
【００２３】
本実施形態では、図２の紙面で見た場合に、フェンス５０は、右側の右側端部支柱１５０Ａから、左側の左側端部支柱１５０Ｂまで、反時計回りで、右側端部支柱１５０Ａ、右側第１パネル構成体１７ａ１、右側角部支柱１６０Ａ、第２パネル構成体１７ｂ、左側角部支柱１６０Ｂ、左側第１パネル構成体１７ａ２、左側端部支柱１５０Ｂの順に配置される。なお、特に区別のない場合には、右側端部支柱１５０Ａ及び左側端部支柱１５０Ｂを端部支柱１５と記載し、右側第１パネル構成体１７ａ１及び左側第１パネル構成体１７ａ２を第１パネル構成体１７ａと記載し、右側角部支柱１６０Ａ及び左側角部支柱１６０Ｂを角部支柱１６と記載する。また、フェンス５０全体の構成は、図２に示すフェンス５０において、側部支柱１８を除いて、左右対称の形状である。そのため、以下のフェンス５０の説明において、側部支柱１８を除いた部分の構成の説明は、フェンス５０における右側の構成及び右側の構成の説明を、互いに適用できる。
【００２４】
一対の第１パネル構成体１７ａは、それぞれ、端部支柱１５と角部支柱１６との間に配置され、第１方向Ｄ１に延びる。
第２パネル構成体１７ｂは、角部支柱１６同士の間に配置され、第２方向Ｄ２に延びる。
【００２５】
パネル構成体１７（第１パネル構成体１７ａ、第２パネル構成体１７ｂ）は、図３に示すように、上桟１７１（枠材）と、下桟１７２（枠材）と、左右両側の縦枠１７３，１７３と、縦枠１７３，１７３の間に配置される１又は複数の中間縦枠１７４と、パネル材１７５（面材）と、を有する。上桟１７１、下桟１７２、左右両側の縦枠１７３，１７３、中間縦枠１７４は、例えば、アルミニウムを押し出し成型することによって形成することができる。パネル構成体１７は、上桟１７１、下桟１７２、左右両側の縦枠１７３，１７３及び中間縦枠１７４により、複数の開口部に区画される。区画された開口部には、パネル材１７５が納められる。
【００２６】
上桟１７１及び下桟１７２は、図３に示すように、パネル材１７５の上下において、パネル材１７５を保持する。上桟１７１は、パネル構成体１７の上端部に配置され、左右方向（横方向）に延びる。下桟１７２は、パネル構成体１７の下端部に配置され、左右方向（横方向）に延びる。
左右両側の縦枠１７３，１７３は、パネル構成体１７の左右両側に配置され、上下方向に延びる。
中間縦枠１７４は、縦枠１７３，１７３の間に配置され、上下方向に延びる。
【００２７】
端部支柱１５，１５は、図２に示すように、フェンス５０の端部５０２に配置される。端部支柱１５は、間仕切り用の端部の支柱を構成する。端部支柱１５は、平面視で方形状に形成され、上下方向に延びる直方体形状に形成される。
【００２８】
端部支柱１５は、第１パネル構成体１７ａの上桟１７１及び下桟１７２を支持する。
端部支柱１５における一の側面である端部支柱第１側面１５ａには、図２に示すように、端部支柱１５と角部支柱１６との間に配置される第１パネル構成体１７ａにおける上桟１７１及び下桟１７２の端面１７０ａが取り付けられている。端部支柱１５の端部支柱第１側面１５ａは、第１パネル構成体１７ａの端面１７０ａに対向して配置される。第１パネル構成体１７ａの端面１７０ａは、第１パネル構成体１７ａの一方の端部において、第１パネル構成体１７ａ（上桟１７１、下桟１７２、パネル材１７６）が延びる方向である第１方向Ｄ１に直交する面である。
【００２９】
端部支柱１５及び第１パネル構成体１７ａは、図２及び図４に示すように、第１方向Ｄ１に並んで直線上に配置される。これにより、端部支柱１５を矢視Ａの方向から第１方向Ｄ１に見た場合に、端部支柱１５の裏側に、第１パネル構成体１７ａ（上桟１７１、下桟１７２、パネル材１７６）の端部側が隠れる。よって、フェンス５０における端部支柱１５において、意匠性を向上できる。
【００３０】
角部支柱１６，１６は、図２に示すように、フェンス５０のコーナー部５０１に配置される。角部支柱１６は、第１パネル構成体１７ａと第２パネル構成体１７ｂとを直角に接続するように配置される。角部支柱１６は、間仕切り用のコーナーの支柱を構成する。角部支柱１６は、平面視で方形状に形成され、上下方向に延びる直方体形状に形成される。
【００３１】
角部支柱１６は、第１パネル構成体１７ａの上桟１７１及び下桟１７２を支持すると共に、第２パネル構成体１７ｂの上桟１７１及び下桟１７２を支持する。
角部支柱１６における一の側面である角部支柱第１側面１６ａには、図２に示すように、端部支柱１５と角部支柱１６との間に配置される第１パネル構成体１７ａにおける上桟１７１及び下桟１７２の端面１７０ｂが取り付けられる。第１パネル構成体１７ａの端面１７０ｂは、第１パネル構成体１７ａの他方の端部において、第１パネル構成体１７ａ（上桟１７１、下桟１７２、パネル材１７６）が延びる方向である第１方向Ｄ１に直交する面である。
【００３２】
また、角部支柱１６における他の側面である角部支柱第２側面１６ｂには、角部支柱１６，１６同士の間に配置される第２パネル構成体１７ｂにおける上桟１７１及び下桟１７２の端面１７０ｃが取り付けられる。角部支柱第２側面１６ｂは、角部支柱第１側面１６ａに直交する面である。第２パネル構成体１７ｂの端面１７０ｃは、第２パネル構成体１７ｂの一方の端部において、第２パネル構成体１７ｂ（上桟１７１、下桟１７２、パネル材１７６）が延びる方向である第２方向Ｄ２に直交する面である。
【００３３】
角部支柱１６及び第１パネル構成体１７ａは、図５に示すように、第１方向Ｄ１に並んで直線上に配置される。これにより、角部支柱１６を図２における矢視Ｂの方向から第１方向Ｄ１に見た場合に、角部支柱１６の裏側に、第１パネル構成体１７ａの端部側が隠れる。
また、角部支柱１６及び第２パネル構成体１７ｂは、図５に示すように、第２方向Ｄ２に並んで直線上に配置される。また、角部支柱１６を図２における矢視Ｃの方向から第２方向Ｄ２に見た場合に、角部支柱１６の裏側に、第２パネル構成体１７ｂの端部側が隠れる。
また、フェンス５０のコーナー部５０１の内側から、角部支柱１６を図２における矢視Ｄの方向に見た場合に、図５に示すように、角部支柱１６が、第１パネル構成体１７ａ及び第２パネル構成体１７ｂと凹凸のない状態で組み合わされて、スッキリとした外観の印象を与えることができる。
従って、フェンス５０における角部支柱１６において、意匠性を向上できる。
【００３４】
側部支柱１８は、図１及び図２に示すように、角部支柱１６，１６同士の間に配置される第２パネル構成体１７ｂの側部に取り付けられる。側部支柱１８は、平面視で方形状に形成され、上下方向に延びる直方体形状に形成される。本実施形態においては、側部支柱１８は、フェンス５０における屋根構造体２０が配置される側（内側）に配置されている。なお、側部支柱１８は、フェンス５０の内側に配置される場合に限定されず、フェンス５０における屋根構造体２０が配置される側とは反対側（外側）に配置されていてもよい。
【００３５】
側部支柱１８は、図２に示すように、第２パネル構成体１７ｂの上桟１７１及び下桟１７２に対して、第２方向Ｄ２（横方向）において任意の位置に設置可能である。側部支柱１８の上端部の上桟１７１側の側面及び下部側の下桟１７２側の側面には、図６及び図７に示すように、それぞれ、取付金具１８２が固定される（図１３参照）。取付金具１８２は、それぞれ、図７に示すように、断面がクランク形状に形成され、一方側の片１８２ａが、ネジ部材１８０ａにより、側部支柱１８の上端部における上桟１７１側の側面及び下部側の下桟１７２側の側面に固定され、図８に示すように、他方側の片１８２ｂが、ボルト１８０ｂにより、裏板部材配置横溝１７１ｂ，１７２ｂに配置された裏板部材１８１（固定部材）に固定される。
【００３６】
裏板部材配置横溝１７１ｂ，１７２ｂは、図６及び図８に示すように、第２パネル構成体１７ｂの上桟１７１及び下桟１７２における屋根構造体２０が配置される側（内側）の側面において横溝１７１ａ，１７２ａの奥側に形成され、図２に示すように、第２方向Ｄ２（横方向）に延びる（図１３参照）。
【００３７】
裏板部材配置横溝１７１ｂ，１７２ｂには、図８に示すように、裏板部材１８１が、裏板部材配置横溝１７１ｂ，１７２ｂに沿って第２方向Ｄ２に移動可能に配置される。裏板部材１８１は、裏板部材配置横溝１７１ｂ，１７２ｂ内を第２方向Ｄ２における側部支柱１８が配置された位置に移動可能である。裏板部材１８１は、第２方向Ｄ２における側部支柱１８が設置された位置において、側部支柱１８に固定された取付金具１８２に取り付けられる。これにより、側部支柱１８は、裏板部材配置横溝１７１ｂ，１７２ｂに配置された裏板部材１８１に接続されることで、裏板部材配置横溝１７１ｂ，１７２ｂにおいて、第２パネル構成体１７ｂに取り付けられている。
【００３８】
第２パネル構成体１７ｂの上桟１７１及び下桟１７２の屋根構造体２０が配置される側（内側）の側面には、図１０に示すように、側部支柱１８を設置した後に、第２パネル構成体１７ｂの上桟１７１及び下桟１７２の側面には、第２方向Ｄ２における側部支柱１８が取り付けられていない部分において、裏板部材配置横溝１７１ｂ，１７２ｂを覆う側面カバー部材１７９ａ（横溝カバー部材）が取り付けられる。
【００３９】
以上のように構成される側部支柱１８は、側部支柱１８を第２方向Ｄ２（横方向）の任意の位置に設置した後に、第２パネル構成体１７ｂを側部支柱１８の側方に設置できる。第２パネル構成体１７ｂの上桟１７１及び下桟１７２には裏板部材配置横溝１７１ｂ，１７２ｂが形成されているため、裏板部材配置横溝１７１ｂ，１７２ｂに配置された裏板部材１８１を取り付け位置に移動させて、取付金具１８２を介して、裏板部材１８１に側部支柱１８を固定することで、側部支柱１８及び第２パネル構成体１７ｂを設置できる。これにより、側部支柱１８の設置スペースを考慮して設置できる。設置スペースを考慮して設置した側部支柱１８を、第２パネル構成体１７ｂに取り付けることができる。よって、側部支柱１８における第２パネル構成体１７ｂの第２方向Ｄ２の設置位置の自由度を向上させることができる。また、第２パネル構成体１７ｂの上桟１７１及び下桟１７２の側面には、側部支柱１８が取り付けられていない部分において、裏板部材配置横溝１７１ｂ，１７２ｂを覆う側面カバー部材１７９ａが取り付けられているため、意匠性を向上できる。
【００４０】
次に、角部支柱１６の構成の詳細について説明する。
角部支柱１６は、図３に示すように、上下方向に延びる角部支柱本体１６１と、第１カバー部材１６２と、第２カバー部材１６３と、角部支柱第１側面１６ａにおいて上下に離間して配置される一対の第１取付スリーブ部材１６４（突出部）（上側第１取付スリーブ部材１６４ａ及び下側第１取付スリーブ部材１６４ｂ）と、角部支柱第１側面１６ａに直交する角部支柱第２側面１６ｂにおいて上下に離間して配置される一対の第２取付スリーブ部材１６５（突出部）（上側第２取付スリーブ部材１６５ａ及び下側第２取付スリーブ部材１６５ｂ）と、天面カバー部材１６６と、下部カバー部材１６７ａ，１６７ｂと、を有する。
【００４１】
角部支柱本体１６１は、例えば、アルミ材料の押出し形材で形成される。角部支柱本体１６１は、図１０に示すように、角部支柱第１側面１６ａに形成され上下方向に延びる第１縦溝１６１ａと、角部支柱第２側面１６ｂに形成され上下方向に延びる第２縦溝１６１ｂと、を有する。角部支柱本体１６１の下端部は、図９に示すように、本実施形態のフェンス５０を設置する場合に、地面１１に設置されたサヤ管１６８（管状部材）に外挿されて取り付けられる。
【００４２】
第１カバー部材１６２は、図１０に示すように、上下方向に延びて形成され、第１縦溝１６１ａを被覆するように、角部支柱本体１６１の角部支柱第１側面１６ａに取り付けられる。第１カバー部材１６２の外表面は、角部支柱本体１６１の角部支柱第１側面１６ａと同一平面となる平面状に形成される。
【００４３】
第２カバー部材１６３は、図１０に示すように、上下方向に延びて形成され、第２縦溝１６１ｂを被覆するように、角部支柱本体１６１の角部支柱第２側面１６ｂに取り付けられる。第２カバー部材１６３の外表面は、角部支柱本体１６１の角部支柱第２側面１６ｂと同一平面となる平面状に形成される。
【００４４】
一対の第１取付スリーブ部材１６４（上側第１取付スリーブ部材１６４ａ及び下側第１取付スリーブ部材１６４ｂ）は、図３に示すように、それぞれ、角部支柱本体１６１の角部支柱第１側面１６ａの上端部及び下端部側において、角部支柱本体１６１の角部支柱第１側面１６ａから側方に突出するように配置される。一対の第１取付スリーブ部材１６４は、図１０に示すように、それぞれ、角部支柱本体１６１の角部支柱第１側面１６ａの上端部及び下端部側にネジ止めにより固定されて取り付けられている。
【００４５】
角部支柱１６の角部支柱第１側面１６ａに取り付けられた一対の第１取付スリーブ部材１６４には、第１パネル構成体１７ａの上桟１７１及び下桟１７２の第１方向Ｄ１におけるコーナー部５０１側の端面１７０ｂが外挿される。
【００４６】
図１０に示すように、第１取付スリーブ部材１６４に、第１パネル構成体１７ａの上桟１７１及び下桟１７２の端面１７０ｂが外挿された状態で、第１パネル構成体１７ａの上桟１７１及び下桟１７２の端部と第１取付スリーブ部材１６４とを、ネジ部材１７８ａでネジ止めして固定する。具体的には、第１パネル構成体１７ａの上桟１７１及び下桟１７２の端部の横溝１７１ａ，１７２ａの奥側の面において、第１パネル構成体１７ａの上桟１７１の端部及び下桟１７２の端部と第１取付スリーブ部材１６４とを、ネジ部材１７８ａでネジ止めして固定する。
【００４７】
第１パネル構成体１７ａの上桟１７１及び下桟１７２の端部と第１取付スリーブ部材１６４とを、ネジ部材１７８ａでネジ止めして固定した状態において、上桟１７１の側面及び下桟１７２の側面には、ネジ部材１７８ａを被覆するように、側面カバー部材１７９ａが取り付けられる。側面カバー部材１７９ａは、第１パネル構成体１７ａの横溝１７１ａ，１７２ａ及びネジ部材１７８ａを被覆するように、上桟１７１の側面及び下桟１７２の側面と同一平面となる平面状に形成される。
【００４８】
一対の第２取付スリーブ部材１６５（上側第２取付スリーブ部材１６５ａ及び下側第２取付スリーブ部材１６５ｂ）は、図３に示すように、それぞれ、角部支柱本体１６１の角部支柱第２側面１６ｂの上端部及び下端部側において、角部支柱本体１６１の角部支柱第２側面１６ｂから側方に突出するように配置される。一対の第２取付スリーブ部材１６５は、図１０に示すように、それぞれ、角部支柱本体１６１の角部支柱第２側面１６ｂの上端部及び下端部側にネジ止めにより固定されて取り付けられている。
【００４９】
角部支柱１６の角部支柱第２側面１６ｂに取り付けられた一対の第２取付スリーブ部材１６５には、第２パネル構成体１７ｂの上桟１７１及び下桟１７２の第２方向Ｄ２におけるコーナー部５０１側の端面１７０ｃが外挿される。
【００５０】
図１０に示すように、第２取付スリーブ部材１６５に、第２パネル構成体１７ｂの上桟１７１及び下桟１７２の端面１７０ｃが外挿された状態で、第２パネル構成体１７ｂの上桟１７１及び下桟１７２の端部と第２取付スリーブ部材１６５とを、ネジ部材１７８ｂでネジ止めして固定する。具体的には、第２パネル構成体１７ｂの上桟１７１及び下桟１７２の端部の横溝１７１ａ，１７２ａの奥側の面において、第２パネル構成体１７ｂの上桟１７１の端部及び下桟１７２の端部と第２取付スリーブ部材１６５とを、ネジ部材１７８ｂでネジ止めして固定する。
【００５１】
第２パネル構成体１７ｂの上桟１７１及び下桟１７２の端部と第２取付スリーブ部材１６５とを、ネジ部材１７８ｂでネジ止めして固定した状態において、上桟１７１の側面及び下桟１７２の側面には、ネジ部材１７８ｂを被覆するように、側面カバー部材１７９ｂが取り付けられる。側面カバー部材１７９ｂは、第２パネル構成体１７ｂの横溝１７１ａ，１７２ａ及びネジ部材１７８ｂを被覆するように、上桟１７１の側面及び下桟１７２の側面と同一平面となる平面状に形成される。
【００５２】
天面カバー部材１６６は、平面視で正方形状に形成される。天面カバー部材１６６の上面は、中央部分から各端辺に向かうにしたがって緩やかに下るように傾斜する緩やかな曲面状に形成される。天面カバー部材１６６は、角部支柱１６の上端部の開口部を塞ぐように、角部支柱１６の上端部に取り付けられる。
【００５３】
なお、端部支柱１５の構成については、角部支柱１６が２つの側面において第１縦溝１６１ａ及び第２縦溝１６１ｂを有するのに対して、端部支柱１５が１つの側面において縦溝を有する点において異なるのみで、角部支柱１６と同様の構成である。そのため、端部支柱１５の構成の説明については、角部支柱１６の構成の説明を援用して、その説明を省略する。
【００５４】
次に、本発明に係るフェンス５０の施工方法について説明する。図１１は、右側端部支柱１５０Ａ及び右側第１パネル構成体１７ａ１を設置する方法を説明する図である。図１２は、右側角部支柱１６０Ａを設置する方法を説明する図である。図１３は、第２パネル構成体１７ｂ及び側部支柱１８を設置する方法を説明する図である。
【００５５】
本実施形態においては、フェンス５０を、図２の紙面で見た場合に、右側の右側端部支柱１５０Ａから、左側の左側端部支柱１５０Ｂまで、反時計回りに設置する場合の施工方法について説明する。なお、左側の左側端部支柱１５０Ｂから、右側の右側端部支柱１５０Ａまで、時計回りに設置する場合の施工方法についても、施工する順番の方向が反対である点が異なる以外は、反時計回りに設置する場合と同様の施工方法を適用できる。
【００５６】
まず、右側端部支柱１５０Ａ、右側角部支柱１６０Ａ、左側端部支柱１５０Ｂ及び左側角部支柱１６０Ｂを施工する設置位置（図２参照）に、サヤ管１５８，１６８の下端部を地中に埋め込むことで、サヤ管１５８，１６８を地面１１に設置する（管状部材設置工程）。また、右側端部支柱１５０Ａ、右側角部支柱１６０Ａ、左側端部支柱１５０Ｂ及び左側角部支柱１６０Ｂを設置する前に、側部支柱１８の下端部を地中に埋め込むことで、側部支柱１８を予め設置位置に設置する（図２及び図１３参照）。
【００５７】
次に、図１１に示すように、右側第１パネル構成体１７ａ１における上桟１７１及び下桟１７２の他方の端部の端面１７０ａを、右側端部支柱１５０Ａの取付スリーブ部材１５４（１５４ａ，１５４ｂ）に取り付けることで、右側端部支柱１５０Ａに右側第１パネル構成体１７ａ１を取り付ける。そして、右側第１パネル構成体１７ａ１を取り付けた右側端部支柱１５０Ａの下端部を、予め地中に埋め込んで配置したサヤ管１５８に差し込んで、サヤ管１５８にネジ部材１６９ａ，１６９ｂで仮固定する。
【００５８】
続けて、図１２に示すように、右側第１パネル構成体１７ａ１における上桟１７１及び下桟１７２の一方側の端部の端面１７０ｂを、右側角部支柱１６０Ａの第１取付スリーブ部材１６４（１６４ａ，１６４ｂ）に差し込んで取り付けながら、右側角部支柱１６０Ａの角部支柱本体１６１の下端部を予め地中に埋め込んだサヤ管１６８に差し込む（支柱配置工程）。サヤ管１６８に差し込んだ右側角部支柱１６０Ａの角部支柱本体１６１の下端部を、サヤ管１６８にネジ部材１６９ａ，１６９ｂで仮固定する（第２固定工程）と共に、図１０に示すように、角部支柱１６の第１取付スリーブ部材１６４を上桟１７１及び下桟１７２の端部にネジ部材１７８ｂで仮固定する（第１固定工程）。
【００５９】
次に、図１３に示すように、裏板部材１８１を、第２パネル構成体１７ｂの上桟１７１及び下桟１７２の裏板部材配置横溝１７１ｂ，１７２ｂに差し込む。
続けて、第２パネル構成体１７ｂにおける上桟１７１及び下桟１７２の一方の端部の端面１７０ｃを、右側角部支柱１６０Ａの第２取付スリーブ部材１６５（１６５ａ，１６５ｂ）に取り付けることで、右側角部支柱１６０Ａに第２パネル構成体１７ｂを取り付ける。
【００６０】
次に、第２パネル構成体１７ｂの上桟１７１及び下桟１７２の裏板部材配置横溝１７１ｂ，１７２ｂに差し込んだ裏板部材１８１を、第２方向Ｄ２における側部支柱１８が設置された位置に、裏板部材配置横溝１７１ｂ，１７２ｂに沿って第２方向Ｄ２に移動させる。そして、裏板部材１８１と、側部支柱１８の上端部の上桟１７１側の側面に固定された取付金具１８２とを、ボルト１８０ｂにより仮固定する。同様に、裏板部材１８１と、側部支柱１８の下部側の下桟１７２側の側面に固定された取付金具１８２とを、ボルト１８０ｂにより仮固定する。これにより、第２パネル構成体１７ｂに側部支柱１８を取り付ける。
【００６１】
続けて、図示は省略するが、図２を参照すると、第２パネル構成体１７ｂの左側の端部に、左側角部支柱１６０ｂを取り付ける。具体的には、前述した右側第１パネル構成体１７ａ１の一方の端部において上述の右側第１パネル構成体１７ａ１を右側端部支柱１５０Ａに取り付ける場合と同様に、第２パネル構成体１７ｂにおける上桟１７１及び下桟１７２の左側の端部の端面１７０ｃを、左側角部支柱１６０Ｂの第２取付スリーブ部材１６５（上側第２取付スリーブ部材１６５ａ及び下側第２取付スリーブ部材１６５ｂ）に差し込んで取り付けながら、左側角部支柱１６０Ｂの角部支柱本体１６１の下端部を予め地中に埋め込んだサヤ管１６８に差し込む（支柱配置工程）。サヤ管１６８に差し込んだ左側角部支柱１６０Ｂの角部支柱本体１６１の下端部を、サヤ管１６８にネジ部材１６９ａ，１６９ｂで仮固定する（第２固定工程）と共に、図１０に示すように、角部支柱１６の第２取付スリーブ部材１６５を上桟１７１及び下桟１７２の端部にネジ部材１７８ｂで仮固定する（第１固定工程）。
【００６２】
次に、図示は省略するが、図２を参照すると、前述した右側角部支柱１６０Ａに第２パネル構成体１７ｂを取り付ける場合と同様に、左側角部支柱１６０Ｂに左側第１パネル構成体１７ａ２を取り付ける。
【００６３】
続けて、図示は省略するが、図２を参照すると、左側第１パネル構成体１７ａ２の他方側の端部に、左側端部支柱１５０Ｂを取り付ける。具体的には、前述した右側角部支柱１６０Ａに右側第１パネル構成体１７ａ１を取り付けながら角部支柱本体１６１の下端部をサヤ管１５８に差し込む場合と同様に、左側第１パネル構成体１７ａ２における上桟１７１及び下桟１７２の他方の端部の端面１７０ａを、左側端部支柱１５０Ｂの取付スリーブ部材１５４（１５４ａ，１５４ｂ）に差し込んで取り付けながら、左側端部支柱１５０Ｂの端部支柱本体１５１の下端部をサヤ管１５８に差し込む（支柱配置工程）。サヤ管１５８に差し込んだ左側端部支柱１５０Ｂの端部支柱本体１５１の下端部を、サヤ管１５８にネジ部材１６９ａ，１６９ｂで仮固定する（第２固定工程）と共に、左側端部支柱１５０Ｂの取付スリーブ部材１５４を上桟１７１及び下桟１７２の端部にネジ部材１７８ｂで仮固定する（第１固定工程）。
【００６４】
次に、角部支柱本体１６１の下端部をサヤ管１６８に固定するために使用されたネジ部材１６９ａ，１６９ｂを本締めした後に、図９に示すように、角部支柱本体１６１の下端部をサヤ管１６８に固定するために使用されたネジ部材１６９ａ，１６９ｂを覆うように、角部支柱本体１６１に下部カバー部材１６７ａ、１６７ｂを取り付ける（第２カバー取付工程）。また、同様に、端部支柱本体１５１の下端部をサヤ管１５８に固定するために使用されたネジ部材１６９ａ，１６９ｂを本締めした後に、図９に示すように、端部支柱本体１５１の下端部をサヤ管１５８に固定するために使用されたネジ部材１６９ａ，１６９ｂを覆うように、端部支柱本体１５１に下部カバー部材１６７ａ、１６７ｂを取り付ける（第２カバー取付工程）。
【００６５】
続けて、第２パネル構成体１７ｂの上桟１７１及び下桟１７２の裏板部材配置横溝１７１ｂ，１７２ｂに差し込んだ裏板部材１８１と、側部支柱１８の上端部の上桟１７１側の側面及び下部側の下桟１７２側の側面に固定された取付金具１８２と、を固定するために使用されたボルト１８０ｂを本締めする。また、角部支柱１６の第１取付スリーブ部材１６４を上桟１７１及び下桟１７２に固定するために使用されたネジ部材１７８ａを本締めする。その後、図１０に示すように、裏板部材１８１と取付金具１８２とを固定するために使用されたボルト１８０ｂと、角部支柱１６の第１取付スリーブ部材１６４を上桟１７１及び下桟１７２に固定するために使用されたネジ部材１７８ａと、を覆うように、上桟１７１及び下桟１７２の側部に、側面カバー部材１７９ａを取り付ける（第１カバー取付工程）。
【００６６】
また、角部支柱１６の第２取付スリーブ部材１６５を上桟１７１及び下桟１７２に固定するために使用されたネジ部材１７８ｂを本締めした後に、図１０に示すように、角部支柱１６の第２取付スリーブ部材１６５を上桟１７１及び下桟１７２に固定するために使用されたネジ部材１７８ｂを覆うように、上桟１７１及び下桟１７２の側部に、側面カバー部材１７９ｂを取り付ける（第１カバー取付工程）。
また、角部支柱１６の角部支柱本体１６１の側面に、第１カバー部材１６２及び第２カバー部材１６３を取り付け、端部支柱１５の端部支柱本体１５１の側面に、第１カバー部材及び第２カバー部材を取り付ける。
【００６７】
これにより、仮設置した角部支柱本体１６１及び第１パネル構成体１７ａを、本固定して設置することができる。角部支柱本体１６１及び第１パネル構成体１７ａを容易に仮設置した後に、ネジ止めして設置することができるため、施工を容易に行うことができる。
また、端部支柱１５、角部支柱１６、第１パネル構成体１７ａ及び第２パネル構成体１７ｂを、右側から左側に反時計回りに順に位置決めしながら、フェンス５０を施工できるため、フェンス５０の施工を容易に行うことができる。
【００６８】
以上のようにフェンス５０の施工方法においては、従来のフェンスとは異なる外観、意匠性が発現されたフェンス５０を、容易に施工することができる。
【００６９】
以上説明した本実施形態のフェンス５０及びその施工方法によれば、以下のような効果を奏する。
本実施形態のフェンス５０は、パネル材１７５と、左右方向（横方向）に延びると共にパネル材１７５の上下においてパネル材１７５を保持する上桟１７１及び下桟１７２と、上桟１７１及び下桟１７２の左右方向の端面１７０ａ，１７０ｂ，１７０ｃに取り付けられ上桟１７１及び下桟１７２を支持する端部支柱１５又は角部支柱１６と、上桟１７１及び下桟１７２の側面に取り付けられ上桟１７１及び下桟１７２を支持する側部支柱１８と、を備える。
【００７０】
そのため、端部支柱１５又は角部支柱１６と、上桟１７１及び下桟１７２とは、直線上に配置される。これにより、上桟１７１及び下桟１７２の端面が、端部支柱１５又は角部支柱１６に隠れるため、意匠性を向上できる。更に、側部支柱１８を上桟１７１及び下桟１７２の側面に沿って移動させて設置することができる。これにより、従来のフェンスとは異なる外観、意匠性を発現でき、フェンスの構造設計の自由度を向上できる。
【００７１】
また、本実施形態においては、フェンス５０は、コーナー部５０１を有し、角部支柱１６は、コーナー部５０１に配置される。そのため、コーナー部５０１に配置した角部支柱１６は、第１パネル構成体１７ａの上桟１７１及び下桟１７２及び第２パネル構成体１７ｂの上桟１７１及び下桟１７２と凹凸のない状態で組み合わされて、スッキリとした外観の印象を与えることができる。従って、フェンス５０における角部支柱１６において、意匠性を向上できる。
【００７２】
また、本実施形態においては、端部支柱１５は、フェンス５０の端部５０２に配置される。そのため、フェンス５０の端部５０２に配置される端部支柱１５及び第１パネル構成体１７ａの上桟１７１及び下桟１７２は、直線上に配置される。これにより、端部支柱１５の裏側に、第１パネル構成体１７ａの上桟１７１及び下桟１７２の端部側が隠れる。従って、フェンス５０における端部支柱１５において、意匠性を向上できる。
【００７３】
また、本実施形態においては、上桟１７１及び下桟１７２は、側面に、横方向に延びる裏板部材配置横溝１７１ｂ，１７２ｂを有し、フェンス５０は、裏板部材配置横溝１７１ｂ，１７２ｂに沿って移動可能に裏板部材配置横溝１７１ｂ，１７２ｂに配置され側部支柱１８が取り付けられる裏板部材１８１と、裏板部材配置横溝１７１ｂ，１７２ｂを覆う側面カバー部材１７９ａと、を備える。そのため、側部支柱１８を横方向の任意の位置に設置できる。これにより、側部支柱１８の設置の自由度を向上できる。更に、裏板部材配置横溝１７１ｂ，１７２ｂに側面カバー部材１７９ａを取り付けているため、意匠性を向上できる。
【００７４】
また、本実施形態のフェンス５０の施工方法は、サヤ管１６８を地面に設置する工程（管状部材設置工程）と、サヤ管１６８を地面１１に設置する工程の後に、サヤ管１６８に角部支柱１６の下端部を差し込みながら、パネル材１７５を保持した上桟１７１及び下桟１７２を角部支柱１６の側面から突出した取付スリーブ部材１６４，１６５に取り付ける工程（支柱配置工程）と、を有する。
【００７５】
そのため、角部支柱１６を設置する際に、パネル材１７５を保持した上桟１７１及び下桟１７２を角部支柱１６の側面から突出した取付スリーブ部材１６４，１６５に取り付けることで、角部支柱１６を、容易に仮設置することができる。これにより、高い意匠性を有するフェンス５０を、容易に施工することができる。
【００７６】
また、本実施形態においては、角部支柱１６の取付スリーブ部材１６４，１６５を上桟１７１及び下桟１７２にネジ部材１７８ａ，１７８ｂで固定する工程（第１固定工程）と、角部支柱１６の取付スリーブ部材１６４，１６５を上桟１７１及び下桟１７２に固定するために使用されたネジ部材１７８ａ，１７８ｂを覆うように側面カバー部材１７９ａ，１７９ｂを上桟１７１及び下桟１７２に取り付ける工程（第１カバー部材取付工程）と、を有する。そのため、側面カバー部材１７９ａ，１７９ｂによりネジ部材１７８ａ，１７８ｂが隠されるため、意匠性を向上できる。
【００７７】
また、本実施形態においては、角部支柱１６の下端部をサヤ管１６８にネジ部材１６９ａ，１６９ｂで固定する工程（第２固定工程）と、角部支柱本体１６１の下端部をサヤ管１６８に固定するために使用されたネジ部材１６９ａ，１６９ｂを覆うように下部カバー部材１６７ａ，１６７ｂを角部支柱１６に取り付ける工程（第２カバー部材取付工程）と、を有する。そのため、下部カバー部材１６７ａ，１６７ｂによりネジ部材１６９ａ，１６９ｂが隠されるため、意匠性を向上できる。
【００７８】
以上、本発明のフェンス５０の好ましい一実施形態について説明したが、本発明は、上述した実施形態に制限されるものではなく、適宜変更が可能である。
【符号の説明】
【００７９】
５０  フェンス
１５  端部支柱（第１支柱）
１６  角部支柱（第１支柱）
１８  側部支柱（第２支柱）
１６４  第１取付スリーブ部材（突出部）
１６５  第２取付スリーブ部材（突出部）
１６７ａ  下部カバー部材（第２カバー部材）
１６７ｂ  下部カバー部材（第２カバー部材）
１６８  サヤ管（環状部材）
１６９ａ  ネジ部材
１６９ｂ  ネジ部材
１７０ａ  端面
１７０ｂ  端面
１７０ｃ  端面
１７１  上桟（枠材）
１７１ｂ  裏板部材配置横溝（横溝）
１７２  下桟（枠材）
１７２ｂ  裏板部材配置横溝（横溝）
１７５  パネル材（面材）
１７８ａ  ネジ部材
１７８ｂ  ネジ部材
１７９ａ  側面カバー部材（第１カバー部材、横溝カバー部材）
１７９ｂ  側面カバー部材（第１カバー部材）
１８１  裏板部材（固定部材）
５０１  コーナー部
５０２  端部
【図１】
2018131810.tif 000003
【図２】
2018131810.tif 000004
【図３】
2018131810.tif 000005
【図４】
2018131810.tif 000006
【図５】
2018131810.tif 000007
【図６】
2018131810.tif 000008
【図７】
2018131810.tif 000009
【図８】
2018131810.tif 000010
【図９】
2018131810.tif 000011
【図１０】
2018131810.tif 000012
【図１１】
2018131810.tif 000013
【図１２】
2018131810.tif 000014
【図１３】
2018131810.tif 000015